(57)【要約】【課題】装飾的効果の高い演出、特に意外性に富んだ演出を行う装飾システムを提供する。【解決手段】装飾対象物の一部や該装飾対象物に取り付けられる装飾品に蛍光体を含有させた蛍光部材に、蛍光体を励起可能な波長の光を放出する半導体発光素子からの光を照射することによって、蛍光部材を発光させる。【選択図】　　　図１
2004060072.tif 000002
【特許請求の範囲】
【請求項１】
人工植物その他の装飾対象物の一部、又は該装飾対象物に取り付けられる装飾品に蛍光体を含有させてなる蛍光部材と、
前記蛍光体を励起可能な波長の光を放出する半導体発光素子と、を備えることを特徴とする装飾システム。
【請求項２】
前記半導体発光素子はＩＩＩ族窒化物系化合物半導体発光素子からなる、ことを特徴とする請求項１に記載の装飾システム。
【請求項３】
前記半導体発光素子の主発光ピーク波長が約３６０ｎｍ〜約４００ｎｍの間にある、ことを特徴とする請求項１又は２に記載の装飾システム。
【請求項４】
可視領域の光を放出する発光素子をさらに備える、ことを特徴とする請求項１〜３のいずれかに記載の装飾システム。
【請求項５】
蛍光体を含有した植物本体部と、
前記植物本体部に内蔵され、前記蛍光体を励起可能な波長の光を放出する半導体発光素子と、を備えることを特徴とする人工植物。
【請求項６】
前記半導体発光素子はＩＩＩ族窒化物系化合物半導体発光素子からなる、ことを特徴とする請求項５に記載の人工植物。
【請求項７】
前記半導体発光素子の主発光ピーク波長が約３６０ｎｍ〜約４００ｎｍの間にある、ことを特徴とする請求項５又は６に記載の人工植物。
【請求項８】
前記植物本体部の葉や花、茎部分などの表面の少なくとも一部が、前記蛍光体を含む材料で被覆されている、ことを特徴とする請求項５〜７のいずれかに記載の人工植物。
【請求項９】
蛍光体を含有した装飾品と、
前記蛍光体を励起可能な波長の光を放出する半導体発光素子と、を含む装飾用キットにおいて、
前記装飾品は人工植物その他の装飾対象物に取り付けられる、ことを特徴とする装飾用キット。
【発明の詳細な説明】
【０００１】
【産業上の利用分野】
本発明は装飾システムに関する。詳しくは、発光素子を利用した装飾システムに関する。
【０００２】
【従来の技術】
クリスマスツリーの電飾に代表されるように、樹木や門柱、フェンス等にランプを設置し、ランプからの光を装飾に利用することが行われている。このような装飾方法ではランプの光がアクセントとなって樹木などの装飾性が高められる。
【０００３】
【発明が解決しようとする課題】
以上のような装飾方法では、所望の色のランプを用いることにより好みに応じた色の光による装飾的効果が得られる。また、互いに異なる発光色のランプを組み合わせて用いれば、ある程度変化に富んだ光の演出を行うことができる。しかしながら、ランプの光自体による演出が行われるのみであって装飾的効果は必ずしも高いものとはいえない。また、演出効果の観点から言えば、意外性に乏しい、別に言えば変化に乏しいものであった。
一方、光を利用した装飾が従来にも増して様々な分野で行われ、光による演出を頻繁に目にする現在においては、より一層装飾的効果の高い演出、特に意外性に富んだ演出を提供することが望まれている。
本発明は上記の要望に応えるべく、装飾的効果の高い演出、特に意外性に富んだ演出を行う装飾システムを提供することを目的とする。
【０００４】
【課題を解決するための手段】
本発明は、以上の目的を達成すべくなされたものであり、以下の構成からなる。即ち、
人工植物その他の装飾対象物の一部、又は該装飾対象物に取り付けられる装飾品に蛍光体を含有させてなる蛍光部材と、
前記蛍光体を励起可能な波長の光を放出する半導体発光素子と、を備えることを特徴とする装飾システムである。
【０００５】
以上の構成によれば、装飾対象物の一部や該装飾対象物に取り付けられる装飾品に対して半導体発光素子の光が照射し、その中に含有される蛍光体から蛍光が発せられる。即ち、装飾対象物自体又は、それに取り付けられる装飾品が発光し、装飾的効果が高く、かつ意外性に富んだ演出が行われる。
【０００６】
【発明の実施の形態】
蛍光部材は、その一部に蛍光体を含有させた装飾対象物又は蛍光体を含有させた装飾品からなる。蛍光体の含有態様は特に限定されないが、装飾対象物又は装飾品の表面に蛍光体を含む層を設ける態様を例示できる。このような蛍光体を含む層は蛍光体含有インク若しくは塗料の印刷、塗布などにより、又は蛍光体を含むシートの貼着などによって形成することができる。また、蛍光体を装飾対象物内に直接混ぜ込むことによっても蛍光部材を形成することができる。蛍光体を含む層を形成する材料としては、樹脂、ガラス、ゴムなど種々のものを透明度を調整して採用することができる。これらの材料は、紫外線吸収剤を含まないことが好ましい。紫外線吸収剤によって蛍光体の効率的な励起が阻害されるからである。
【０００７】
蛍光体の種類は特に限定されず、公知のものを適宜選択して用いることができる。また、無機系、有機系を問わず採用することができる。尚、一般に無機系の蛍光体を用いると艶消し感のある発光が得られる。他方、一般に有機系の蛍光体を用いることによりクリアー感のある発光が得られる。
【０００８】
装飾対象物としては、例えば人工植物が挙げられる。ここで、本発明における人工植物とは、人工的に作られた植物を意味し、造花、観葉植物、人工樹木などを含む。例えば、クリスマスツリーに代表される人工樹木を装飾対象物とする場合、その葉部分全体に蛍光体含有インクを塗布等することによって発光素子の照射エリアにおいてツリーが発光することとなり従来にない装飾的効果を得ることができる。
人工植物以外にも門柱やフェンス、ドアプレート等様々なものを装飾対象物とすることができる。
【０００９】
半導体発光素子は蛍光体を励起可能な波長の光を放出するものが用いられる。半導体発光素子は消費電力及び発熱量が小さくかつ長寿命であることから、長時間連続的に点灯させることに適した光源である。半導体発光素子を点灯する回路も容易に構成される。また、小型であるため造花のような小さなものにも設置でき、かつ設置することによって意匠性を低下させるおそれもほとんどない。半導体発光素子として半導体発光ダイオードの他、半導体レーザを用いることもできる。
【００１０】
尚、蛍光体を励起させる光源としていわゆるブラックライトや冷陰極管を使用することも考えられるが、ブラックライト等はサイズが大きいことからこれを設置すれば光源が無用に目立つこととなり意匠性の観点から好ましくない。また、ランプの寿命が短く、メンテナンスの観点からも好ましくない。本発明では半導体発光素子をその光源として利用することから、ブラックライト等を用いた場合のこのような問題点が解消される。
【００１１】
半導体発光素子としてＩＩＩ族窒化物系化合物半導体発光素子を採用することができる。紫外領域の波長の光を発光することができるからである。好ましくは、主発光ピーク波長が約４００ｎｍ以下の半導体発光素子を用いる。このような波長の光によれば半導体発光素子から光が漏洩しても視認されにくいため意匠性が低下するのを防止できるからである。例えば主発光ピーク波長が約３６０ｎｍ〜約４００ｎｍの間にある半導体発光素子を用いることができる。
【００１２】
可視領域の光を放出する発光素子をさらに備えることができる。このような構成においては、さらに高い装飾的効果が得られる。例えば、紫外領域の光を放出する発光素子に加えて可視領域の光を放出する発光素子を１種又は互いに異なる発光色のものを２種以上使用する。また、可視領域の光を発光する発光素子と蛍光体を励起可能な光を発光する発光素子との両方を内蔵するＬＥＤを採用することもできる。さらに、２種類以上の可視領域の光を放出する発光素子を備えることもできる。
【００１３】
可視領域の光を放出する発光素子を併用する場合には、この発光状態と紫外領域の光を放出する発光素子の発光状態とを制御することにより、様々な態様の演出を行うことができる。例えば可視領域の光を放出する発光素子と蛍光体を励起可能な光を発光する発光素子とを一定時間ごとに交互に光らせれば蛍光体による発光と可視光の交互発光という態様、同時に光らせれば蛍光体による発光と可視光との混色発光という態様の演出を行うことができる。また、規則的な点灯制御に限らず不規則的な点灯制御としてもよい。
【００１４】
装飾対象物の一部や該装飾対象物に取り付けられる装飾品に、さらに光触媒を担持させてもよい。このような構成においては、装飾的効果に加えてさらに抗菌・脱臭等の効果が得られる。
【００１５】
ここで、光触媒とは光エネルギーにより活性化されて、その表面の物質を酸化することにより抗菌作用、脱臭作用などを奏する物質である。使用できる光触媒の種類は特に限定されないが、例えば酸化チタン、酸化亜鉛、酸化ジルコニウム等、公知のものの１種又は２種以上を適宜選択して用いることができる。好ましくは酸化チタンが用いられる。酸化チタンは酸化力、耐久性などが他の光触媒に比べて特に優れているからである。
また、光触媒は蛍光体と同じく約３６０ｎｍ〜約４００ｎｍの光で効率的に励起されるため、光触媒用の光源を蛍光体用のものと同一とすることができる。但し、光触媒用の光源を別途設置することを妨げるものではない。
【００１６】
半導体発光素子から放出された光をリフレクタやレンズを介して蛍光部材に照射することができる。リフレクタやレンズは光源の設置位置の自由度を高め、また効率的な照射も可能とする。例えばリフレクタを用いた場合は半導体発光素子からの光を一定方向へ反射させることができる。リフレクタとしては、金属板又は適当な樹脂の表面に金属メッキなどを施した部材を用いることができる。レンズを用いた場合は半導体発光素子からの光を集束または拡散させることができる。レンズの材質としては、ポリカーボネート、アクリル樹脂、エポキシ樹脂等の合成樹脂や、ガラス等の無機材料を例示できる。
【００１７】
人工植物において葉や茎、幹、花などの植物本体部に蛍光体を含有させ、さらに植物本体部の構造部分に半導体発光素子を内蔵する構成としてもよい。このような人工植物においては半導体発光素子が植物本体部に内蔵されるので、半導体発光素子からの光の漏洩による意匠性の低下を防止できる。また、半導体発光素子を外部の衝撃などから保護することができる。植物本体部は、例えば布・合成繊維・合成樹脂などによって作製される。
【００１８】
植物本体部が花部を有する場合、花部のおしべ状構造部分又はめしべ状構造部分に半導体発光素子を内蔵することができる。このような構成では、花部の例えば花弁に蛍光体を塗布しておくことによっておしべ状構造部分又はめしべ状構造部分に設置された半導体発光素子からの光が蛍光体を励起する。おしべ状構造部分及びめしべ状構造部分の両者に半導体発光素子を設置してもよい。
尚、花部とは花弁、おしべ、めしべなどから構成されるものであり、花部の種類としては、ゆり、ラン、チューリップ等種々のものを採用できる。
【００１９】
また、植物本体部に光触媒が担持されている場合、植物本体部の周囲の空気を循環させるファンを備えることができる。例えば、植物本体部の土台となる鉢の中にファンを設置することができる。ファンにより植物本体部の光触媒に接する空気が入れ替わり、脱臭等の効率が向上する。
【００２０】
本発明における装飾品とは加飾を目的として装飾対象物に取り付けられる部材である。装飾品は着脱可能に取り付けられるものであってもよい。例えば、アクリルに蛍光体を含有させたものを主材料として装飾品を作製することができる。
【００２１】
蛍光部材としての装飾品と、蛍光体を励起可能な波長の光を放出する半導体発光素子とを組み合わせてキットとしてもよい。このようなキットを用いれば、人工植物その他の装飾対象物に該装飾品と半導体発光素子とを取り付けることによって簡便に蛍光体による装飾的効果が得られる。
【００２２】
【実施例】
以下、本発明の実施例について図を参照しながら説明する。図１は本発明の実施例であるツリー１の斜視図である。また、図２はＬＥＤユニット１０を拡大して示した図であり、即ちＬＥＤユニット１０の断面図である。
ツリー１は葉部３、幹部４、鉢部６から概略構成される。葉部３はポリアミドを主材料として作製され、その表面全体には蛍光体層５０が形成されている。蛍光体層５０は、葉部３の表面に緑色系の蛍光体を含む溶液をスプレーした後ドライヤーにて乾燥させることにより形成される。尚、幹部４もポリアミドを主材料として作製されている。
【００２３】
葉部３には電飾部材８が巻きつけられている。電飾部材８は複数のＬＥＤユニット１０が一定の間隔でハーネス１５に接続されて構成される。ＬＥＤユニット１０はＬＥＤランプ１１とカバー１２から概略構成される。ＬＥＤランプ１１内に設置される発光素子１１ａは基板１３の表面にマウントされている。発光素子１１ａとして、蛍光体層５０に含まれる蛍光体が励起するように主発光ピーク波長が約３８０ｎｍで、その発光層がＩＩＩ族窒化物系化合物半導体発光素子からなるものを用いた。
カバー１２はＬＥＤランプ１１の保護を目的として設けられている。本実施例ではカバー１２をゴム製とした。尚、ＬＥＤユニット１０を防水性とすることもできる。
【００２４】
オーナメント２０は蛍光体含有のアクリル樹脂を所望の形状（星型、三角、月型）に成形したものである。星型のオーナメントには黄色系の蛍光体、三角のオーナメントには赤色系の蛍光体、月型のオーナメントには青色系の蛍光体がそれぞれ含有されている。
【００２５】
図３にツリー１における回路図を模式的に示す。図示されるように、直列に接続された５つの発光素子１１ａを一つのグループとして、各グループが並列に接続されて回路が構成されている。図中の符号２１は発光素子１１ａの保護用のツェナーダイオードである。また符号２２は電流制御するための抵抗である。この回路はハーネス１５を介して鉢部６に設けられたスイッチ７に接続されており、このスイッチによってＬＥＤユニット１０のオンオフの切り替えが行われる。さらに、当該回路にはＡＣ−ＤＣコンバータが接続されている。ＡＣ−ＤＣコンバータは交流電流（１００Ｖ）を直流電流（２４Ｖ）に変換する。使用時には交流電流が直流電流に変換されて各発光素子１１ａへ供給される。
【００２６】
以上のように構成されたツリー１では、電源をオンにするとＬＥＤユニット１０が発光し、ＬＥＤユニット１０からの光が葉部３の蛍光体層５０及びオーナメント２０を照射する。そして蛍光体層５０及びオーナメント２０に含まれる蛍光体が励起されることによって葉部３の表面が緑色で発光し、星型、三角、月型のオーナメント２０の表面がそれぞれ黄色、赤色、青色で発光する。ここで、ＬＥＤユニット１０が小型であり、またＬＥＤユニット１０からは視認されにくい紫外領域の光が発せられるため、ＬＥＤユニット１０が目立たず、ツリー１の意匠性を無用に損なわない。
【００２７】
ＬＥＤユニット１０の点灯制御方法としては、例えば図３に示される直列に接続された５つの発光素子１１ａをグループ単位で端から順次点灯及び消灯させる方法を例示できる。また、グループごとにランダムな順番で点灯及び消灯させてもよい。各ＬＥＤユニット１０を点灯する際にその光度が漸増するように点灯制御（フェードイン効果）し、また消灯する際にはその光度が漸減するように消灯制御（フェードアウト効果）することもできる。
【００２８】
電源として種々の電池（乾電池、太陽電池等）を用いることもできる。例えば、太陽電池を用いる場合には、昼間の太陽光が当たる時間には電源をオフの状態として充電を行う。そして夜間の光が当たらない時間には充電された電力をＬＥＤユニット１０に供給し、発光素子１１の光を用いて蛍光体を励起する。尚、このような制御はタイマーによって行ってもよいし、光センサによって行ってもよい。
【００２９】
図４は本発明の他の実施例であるＬＥＤユニット６０の断面図である。ＬＥＤユニット６０において、上記ＬＥＤユニット１０と同一の部材・要素には同一の符号を付してその説明を省略する。ＬＥＤユニット６０の基板１３上には紫外領域の光を発光する発光素子１１ａ及び赤色系の光を発光する発光素子１１ｂがマウントされている。
上記ＬＥＤユニット６０を用いて発光素子１１ａと発光素子１１ｂを交互に光らせる制御を行えば、発光素子１１ａが点灯しているときは葉部３全体が緑色で発光し、星型、三角、月型のオーナメント２０全体がそれぞれ黄色、赤色、青色で発光する。発光素子１１ｂが点灯しているときは赤色光によってツリー１が照明される。
【００３０】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００３１】
以下、次の事項を開示する。
（１１）　前記装飾対象物の一部、又は前記装飾品に光触媒が担持されている、ことを特徴とする請求項１〜４のいずれかに記載の装飾システム。
（１２）　前記光触媒は酸化チタンからなる、ことを特徴とする（１１）に記載の人工植物。
（１３）　前記半導体発光素子の周囲にリフレクタが設置される、ことを特徴とする請求項１〜４、（１１）及び（１２）のいずれかに記載の装飾システム。
（２１）　前記植物本体部に光触媒が担持されている、ことを特徴とする請求項５〜８のいずれかに記載の人工植物。
（２２）　前記植物本体部の葉や花、茎部分などの表面の少なくとも一部が、前記光触媒を含む材料で被覆されている、ことを特徴とする（２１）に記載の人工植物。
（２３）　前記光触媒は酸化チタンからなる、ことを特徴とする（２１）又は（２２）に記載の人工植物。
（２４）　前記植物本体部は花部を有し、該花部のおしべ状構造部分内又はめしべ状構造部分に前記半導体発光素子が内蔵されている、ことを特徴とする請求項５〜８及び（２１）〜（２３）のいずれかに記載の人工植物。
（２５）　前記半導体発光素子の周囲にリフレクタが設置される、ことを特徴とする請求項５〜８及び（２１）〜（２４）のいずれかに記載の人工植物。
（２６）　前記植物本体部の周囲の空気を循環させるファンをさらに備える、ことを特徴とする請求項５〜８及び（２１）〜（２５）のいずれかに記載の人工植物。
（３１）　前記装飾品に光触媒が担持されている、ことを特徴とする請求項９に記載の装飾用キット。
（３２）　前記光触媒は酸化チタンからなる、ことを特徴とする（３１）に記載の人工植物。
（３３）　前記半導体発光素子の周囲にリフレクタが設置される、ことを特徴とする請求項９、（３１）及び（３２）のいずれかに記載の装飾用キット。
【図面の簡単な説明】
【図１】図１は本発明の実施例であるツリー１の斜視図である。
【図２】図２はＬＥＤユニット１０の断面図である。
【図３】図３はツリー１における回路図を模式的に示す図である。
【図４】図４は本発明の他の実施例であるＬＥＤユニット６０の断面図である。
【符号の説明】
１　ツリー
３　葉部
７　スイッチ
１０　ＬＥＤユニット
１１　ＬＥＤランプ
１１ａ　短波長発光素子
１１ｂ　赤色系発光素子
１２　カバー
１５　ハーネス
２０　オーナメント
５０　蛍光体層
【図１】
2004060072.tif 000003
【図２】
2004060072.tif 000004
【図３】
2004060072.tif 000005
【図４】
2004060072.tif 000006